(57)【要約】  【課題】ロックスイッチとノンロックスイッチとを設ける場合において、ボタンの共通化を図り、かつ、明確な操作感を得ることが可能なスイッチボタン構造を提供する。  【解決手段】ノンロックスイッチ９用のボタン１０Ｂの操作部１０ａを表出させる表出孔４ｂの近傍の上フレーム４内面に、ノンロックスイッチ９が無負荷状態にあるときのノブ９ａの先端９ｂ位置にボタン１０Ｂの接触部１０ｈが位置するようにボタン１０Ｂの端部１０ｂ、１０ｃを支持する第１の支持部４ｃを設ける。ロックスイッチ８用の前記ボタン１０Ａの操作部１０ａを表出させる表出孔４ａの近傍の上フレーム４内面に、ロックスイッチ８がロック状態とロック解除状態とに切り替わるときのノブ８ａのストロークＳ分第１の支持部４ｃよりも基板１１側の位置でボタン１０Ａの端部１０ｂ、１０ｃを支持する第２の支持部４ｅを設ける。【選択図】  図４
2006024504.tif 000002
【特許請求の範囲】
【請求項１】
基板に実装されるスイッチと、前記基板および前記スイッチを覆うフレームに設けられた表出孔から操作部を表出させた状態で前記フレームと前記基板との間に設置される弾性を有するボタンとを備え、前記ボタンの操作部が押下されることによって、当該ボタンと接触する前記スイッチのノブが押下されて、前記スイッチがＯＮ状態またはＯＦＦ状態になるスイッチボタン構造において、
前記スイッチは、ロックスイッチとノンロックスイッチとからなり、
前記ノンロックスイッチ用の前記ボタンの操作部を表出させる前記表出孔の近傍の前記フレーム内面に、前記ノンロックスイッチが無負荷状態にあるときのノブの先端位置にノブの先端と接触する当該ボタンの接触部が位置するように当該ボタンの端部を支持する第１の支持部を設け、
前記ロックスイッチ用の前記ボタンの操作部を表出させる前記表出孔の近傍の前記フレーム内面に、前記ロックスイッチがロック状態とロック解除状態とに切り替わるときのノブのストローク分前記第１の支持部よりも前記基板側の位置で当該ボタンの端部を支持する第２の支持部を設け、
各ボタンの端部に、取付孔を設けるとともに、先端に段差部が形成され前記基板に接地して当該端部を基板側から支持するサポートボスを設け、
前記各支持部に、各ボタンに設けられた前記取付孔に嵌め込まれて、各ボタンの端部を各支持部に取り付ける取付ボスを設け、
前記ロックスイッチ用の前記ボタンに設けられた前記サポートボスが接地する前記基板位置に、当該サポートボスの先端の径より大きく前記段差部の径より小さな径の貫通孔を設けたことを特徴とするスイッチボタン構造。
【請求項２】
基板に実装されるスイッチと、前記基板および前記スイッチを覆うフレームに設けられた表出孔から操作部を表出させた状態で前記フレームと前記基板との間に設置される弾性を有するボタンとを備え、前記ボタンの操作部が押下されることによって、当該ボタンと接触する前記スイッチのノブが押下されて、前記スイッチがＯＮ状態またはＯＦＦ状態になるスイッチボタン構造において、
前記スイッチは、ロックスイッチとノンロックスイッチとからなり、
前記ノンロックスイッチ用の前記ボタンの操作部を表出させる前記表出孔の近傍の前記フレーム内面に、前記ノンロックスイッチが無負荷状態にあるときのノブの先端位置にノブの先端と接触する当該ボタンの接触部が位置するように当該ボタンの端部を支持する第１の支持部を設け、
前記ロックスイッチ用の前記ボタンの操作部を表出させる前記表出孔の近傍の前記フレーム内面に、前記ロックスイッチがロック状態とロック解除状態とに切り替わるときのノブのストローク分前記第１の支持部よりも前記基板側の位置で当該ボタンの端部を支持する第２の支持部を設けたことを特徴とするスイッチボタン構造。
【請求項３】
請求項２に記載のスイッチボタン構造において、
前記第１の支持部に前記ノンロックスイッチ用の前記ボタンの端部を取り付け、前記第２の支持部に前記ロックスイッチ用の前記ボタンの端部を取り付けたことを特徴とするスイッチボタン構造。
【発明の詳細な説明】
【技術分野】
【０００１】
本発明は、電子機器に設けられるプッシュ式のスイッチボタン構造に関するものである。
【背景技術】
【０００２】
電子機器に設けられるスイッチボタンとして、プッシュ式のスイッチボタンがある。この種のスイッチボタンは、例えば下記の特許文献１に記載されているように、電子機器の基板に実装されたスイッチと、電子機器の筺体のフレームに形成された孔から操作部を表出させた状態でフレームと基板との間に設置された弾性を有するボタンとで主に構成されている。そして、ユーザがボタンの操作部を押下すると、ボタンがたわんで接触するスイッチのノブを押下し、それによってスイッチがＯＮ状態またはＯＦＦ状態になって、ＯＮまたはＯＦＦの信号を電子機器の制御部等に出力する。なお、これ以外に、例えば下記の特許文献２に記載されているように、上記スイッチに代えて、一対の接点電極を基板とボタンとに対向するように設け、ボタンの操作部が押下されたときに、一対の接点電極が接触して、ＯＮまたはＯＦＦの信号を出力するような構造のスイッチボタンもある。
【０００３】
電子機器に複数のスイッチボタンを設ける場合に、各スイッチボタンを設ける箇所でフレームと基板との間隔が異なると、従来はそれぞれの間隔に応じた形状のボタンやスイッチを用いなければならなかった。そのため、部品の種類が多くなって、コストがかかり、部品管理が煩雑になり、さらにスイッチボタンの組立時に部品の取付ミスが生じ易くなるという問題があった。
【０００４】
そこで、特許文献１では、スイッチのノブと接触するボタンの下面と、ボタンの基板からの設置高さを決める脚先端とに、階段状の段差または基板と平行ではない傾斜部を設け、基板に、ボタンの設置高さに応じた複数サイズの穴を設け、ボタンの脚を基板の穴に挿入して、ボタンの設置高さを複数段階に調整可能にすることで、各スイッチボタンを設ける箇所のフレームと基板との間隔が異なっていても、用いるボタンを共通化している。また、特許文献２では、ボタン側の接点に、段差部を設け、フレームと基板との間隔が狭い箇所の基板に、ボタン側の接点の先端を逃がす穴を設け、上記間隔が狭い箇所では、ボタン側の接点の先端を基板の穴に逃がして、段差部の接点を基板側の接点に接触させ、上記間隔が広い箇所では、ボタン側の接点の先端を基板側の接点に接触させることで、用いるボタンを共通化している。
【特許文献１】特開２００３−２８８８１９号公報
【特許文献２】特開平２０００−２０７９８６号公報
【発明の開示】
【発明が解決しようとする課題】
【０００５】
上述したノブを備えたスイッチには、押下されたときにノブの先端の位置が下死点にロック（最下位置に固定）され、再度押下されたときにロックが解除されてノブの先端の位置が元の位置に復帰するロックスイッチと、特許文献１に記載されているような、押下されたときにノブの先端の位置が下死点にロックされず、押下力の開放とともにノブの先端の位置が即座に元の位置に復帰するノンロックスイッチとがある。このようなロックスイッチとノンロックスイッチとを電子機器に設ける場合、同一形状のボタンを同様に設置すると、ロックスイッチでは、ボタンとともにロックスイッチのノブを押下して、当該ノブの先端を下死点にロックしたときに、ノブとボタンとの間に大きな隙間ができるため、ロックを解除するときに、ボタンを上記の隙間分押下した後でなければ、ロックスイッチのノブを押下することができない。このように、ボタンだけが押下される状態、いわゆる空ストロークが生じると、空ストローク中はボタンおよびノブの明確な操作感を得ることができないため、空ストローク中にボタンの押下を止めてしまうというような誤操作をしたり、空ストロークを経てロックスイッチのノブを押下した後に、ノブのロックが正常に解除されたかどうか不安になって、もう一度確認のためにボタンを押下してノブをロックし次いでロックを解除するというような二度手間操作をしたりすることがあった。
【０００６】
本発明は、以上の問題点を解決するものであって、その課題とするところは、ロックスイッチとノンロックスイッチとを設ける場合において、ボタンの共通化を図り、かつ、明確な操作感を得ることが可能なスイッチボタン構造を提供することにある。
【課題を解決するための手段】
【０００７】
本発明では、基板に実装されるスイッチと、基板およびスイッチを覆うフレームに設けられた表出孔から操作部を表出させた状態でフレームと基板との間に設置される弾性を有するボタンとを備え、ボタンの操作部が押下されることによって、当該ボタンと接触するスイッチのノブが押下されて、スイッチがＯＮ状態またはＯＦＦ状態になるスイッチボタン構造において、スイッチは、ロックスイッチとノンロックスイッチとからなり、ノンロックスイッチ用のボタンの操作部を表出させる表出孔の近傍のフレーム内面に、ノンロックスイッチが無負荷状態にあるときのノブの先端位置にノブの先端と接触する当該ボタンの接触部が位置するように当該ボタンの端部を支持する第１の支持部を設け、ロックスイッチ用の前記ボタンの操作部を表出させる表出孔の近傍のフレーム内面に、ロックスイッチがロック状態とロック解除状態とに切り替わるときのノブのストローク分第１の支持部よりも基板側の位置で当該ボタンの端部を支持する第２の支持部を設ける。
【０００８】
上記のようにすることで、ノンロックスイッチ用のボタンの端部を第１の支持部で支持するように設置すると、ノンロックスイッチが無負荷状態にあるときのノブの先端位置、即ちノブの先端が基板から最も離れた最上位置に当該ボタンの接触部が位置するようになる。また、ロックスイッチ用のボタンの端部を第２の支持部で支持するように設置すると、ロックスイッチがロック状態かつ無負荷状態にあるときのノブの先端位置、即ちノブの先端が基板に最も近づいた最下位置に当該ボタンの接触部が位置するようになる。よって、ロックスイッチとノンロックスイッチとを設ける場合において、各スイッチ用のボタンの形状を同一にしても、各ボタンがそれぞれ押下されたときに、ボタンの接触部とノブの先端とが常時接触した状態になって、ボタンの空ストロークが生じなくなるため、ボタンの共通化を図ることができ、かつ、ボタンおよびノブの押下時に明確な操作感を得ることが可能となる。
【０００９】
また、本発明の実施形態では、第１の支持部にノンロックスイッチ用のボタンの端部を取り付け、第２の支持部にロックスイッチ用のボタンの端部を取り付ける。前述した特許文献１、２のように、ボタンを基板に位置決めしただけの状態でフレームを基板上に配置して行くと、ボタンがずれて正規の位置に設置されなくなるおそれがあるが、上記のように各ボタンを各支持部に取り付けることで、フレームと基板との固定時にボタンがずれなくなり、ボタンを正規の位置に確実に設置することができ、スイッチボタンの組立性の向上を図ることが可能となる。
【００１０】
さらに、本発明の典型的な実施形態では、基板に実装されるスイッチと、基板およびスイッチを覆うフレームに設けられた表出孔から操作部を表出させた状態でフレームと基板との間に設置される弾性を有するボタンとを備え、ボタンの操作部が押下されることによって、当該ボタンと接触するスイッチのノブが押下されて、スイッチがＯＮ状態またはＯＦＦ状態になるスイッチボタン構造において、スイッチは、ロックスイッチとノンロックスイッチとからなり、ノンロックスイッチ用のボタンの操作部を表出させる表出孔の近傍のフレーム内面に、ノンロックスイッチが無負荷状態にあるときのノブの先端位置にノブの先端と接触する当該ボタンの接触部が位置するように当該ボタンの端部を支持する第１の支持部を設け、ロックスイッチ用のボタンの操作部を表出させる表出孔の近傍のフレーム内面に、ロックスイッチがロック状態とロック解除状態とに切り替わるときのノブのストローク分第１の支持部よりも基板側の位置で当該ボタンの端部を支持する第２の支持部を設ける。また、各ボタンの端部に、取付孔を設けるとともに、先端に段差部が形成され基板に接地して当該端部を基板側から支持するサポートボスを設け、各支持部に、各ボタンに設けられた取付孔に嵌め込まれて、各ボタンの端部を各支持部に取り付ける取付ボスを設け、ロックスイッチ用のボタンに設けられたサポートボスが接地する基板位置に、当該サポートボスの先端の径より大きく段差部の径より小さな径の貫通孔を設ける。
【００１１】
上記のようにすることで、ノンロックスイッチ用のボタンの取付孔に第１の支持部の取付ボスを嵌め込んで、当該ボタンの端部を第１の支持部に取り付けると、ノンロックスイッチが無負荷状態にあるときのノブの先端位置、即ちノブの先端が基板から最も離れた最上位置に当該ボタンの接触部が位置するように当該ボタンが設置される。また、ロックスイッチ用のボタンの取付孔に第２の支持部の取付ボスを嵌め込んで、当該ボタンの端部を第２の支持部に取り付けると、ロックスイッチがロック状態かつ無負荷状態にあるときのノブの先端位置、即ちノブの先端が基板に最も近づいた最下位置に当該ボタンの接触部が位置するように当該ボタンが設置される。よって、ロックスイッチとノンロックスイッチとを設ける場合において、各スイッチ用のボタンの形状を同一にしても、各ボタンがそれぞれ押下されたときに、ボタンの接触部とノブの先端とが常時接触した状態になって、ボタンの空ストロークが生じなくなるため、ボタンの共通化を図ることができ、かつ、ボタンおよびノブの押下時に明確な操作感を得ることが可能となる。また、ロックスイッチ用のボタンのサポートボスが接地する基板位置に、サポートボスの先端の径より大きく段差部の径より小さな径の貫通孔を設けたことで、ロックスイッチ用のボタンの端部を第２の支持部に取り付けると、当該ボタンのサポートボスの先端が貫通孔に入り込み、段差部が基板に接地して当該ボタンの端部を基板側から支持するようになる。また、ノンロックスイッチ用のボタンの端部を第１の支持部に取り付けると、当該ボタンのサポートボスの先端が基板に接地して当該ボタンの端部を基板側から支持するようになる。よって、各ボタンのサポートボスの形状を同一にしても、各ボタンがそれぞれ押下されたときに、ボタンの端部をサポートボスによって確実に支持して、基板側へ位置ずれするのを防止することができる。
【発明の効果】
【００１２】
本発明によれば、ロックスイッチとノンロックスイッチとを設ける場合において、各スイッチ用のボタンの形状を同一にしても、各ボタンがそれぞれ押下されたときに、ボタンの接触部とノブの先端とが常時接触した状態になって、ボタンの空ストロークが生じなくなるので、ボタンの共通化を図ることができ、かつ、ボタンおよびノブの押下時に明確な操作感を得ることが可能となる。
【発明を実施するための最良の形態】
【００１３】
以下、本発明の実施形態につき図を参照しながら説明する。図１は、本実施形態に係るスイッチボタン構造の電子機器への適用例を示す図である。図２は、同スイッチボタン構造の分解状態を上方から見た斜視図である。図３は、同スイッチボタン構造の分解状態を下方から見た斜視図である。図４は、同スイッチボタン構造の組立状態を側方から見た断面図である。
【００１４】
図１において、１は家庭内に設置されるホームゲートウェイである。このホームゲートウェイ１は、基部３の上にカメラ２が設置されていて、当該カメラ２によって撮影した家庭内の映像を上位装置（図示省略）を介す等して、例えば携帯電話のような携帯端末（図示省略）に送信する。つまり、ユーザは、ホームゲートウェイ１と携帯端末とによって、家庭内の映像を外出先から見ることが可能となる。基部３には、ホームゲートウェイ１の電源をＯＮ状態（電源投入状態）またはＯＦＦ状態（電源切断状態）にするスイッチボタン６と、カメラ２をＯＮ状態（作動状態）またはＯＦＦ状態（停止状態）にするスイッチボタン７とが設けられている。４は基部３の上部外装を構成する上フレーム、５は基部３の下部外装を構成する下フレームである。
【００１５】
スイッチボタン６、７は、図２等に示すように、スイッチ８、９と、ボタン１０Ａ、１０Ｂとから主に構成されている。スイッチ８、９は、フレーム４、５内（図２〜図４では、下フレーム５は図示省略）に配置される基板１１上に所定の間隔をおいて実装されている。スイッチ８は、ロックスイッチであって（以下、ロックスイッチ８という。）、ノブ８ａが押下されたときにノブ８ａの先端（上面）８ｂの位置が下死点にロック（最下位置に固定）され、再度ノブ８ａが押下されたときに当該ロックが解除されて、内蔵するばね（図示省略）の弾性力によってノブ８ａの先端８ｂの位置が元の位置に復帰する。また、ロックスイッチ８は、ノブ８ａがロックされたときにＯＮ状態になり、ノブ８ａのロックが解除されたときにＯＦＦ状態になり、それぞれのときにＯＮまたはＯＦＦの信号をホームゲートウェイ１の制御部（図示省略）に出力する。スイッチ９は、ノンロックスイッチであって（以下、ノンロックスイッチ９という。）、ノブ９ａが押下されたときにノブ９ａの先端（上面）９ｂの位置が下死点にロックされず、押下力の開放とともに、内蔵するばね（図示省略）の弾性力によってノブ９ａの先端９ｂの位置が即座に元の位置に復帰する。また、ノンロックスイッチ９は、ノブ９ａが下死点まで押下されたときにＯＮ状態またはＯＦＦ状態になり、ＯＮまたはＯＦＦの信号をホームゲートウェイ１の制御部に出力する。
【００１６】
図２の右側に示すロックスイッチ８用のボタン１０Ａと、左側に示すノンロックスイッチ９用のボタン１０Ｂとは、同一形状であって、ゴム等の弾性を有する材料で形成されている。１０ａはユーザがボタン１０Ａ、１０Ｂを押下操作する操作部である。１０ｂ、１０ｃはボタン１０の端部であって、これら端部１０ｂ、１０ｃには、取付孔１０ｄが貫通するように設けられているとともに、サポートボス１０ｅが基板１１側に突出するように設けられている。サポートボス１０ｅの先端１０ｇには、図３に示すように段差部１０ｆが形成されている。この段差部１０ｆの径は、先端１０ｇの径よりも大きくなっている。図３のボタン１０Ａ、１０Ｂの裏側に示す１０ｇは各スイッチ８、９のノブ８ａ、９ａの先端８ｂ、９ｂと接触する接触部である。
【００１７】
上フレーム４に示す４ａ、４ｂはボタン１０Ａ、１０Ｂの操作部１０ａを表出させる表出孔である。図３に示すように、表出孔４ｂの近傍の上フレーム４内面には、基板１１側に突出した第１の支持部４ｃが設けられている。第１の支持部４ｃには、ボタン１０Ｂの取付孔１０ｄに嵌め込まれ、端部１０ｂ、１０ｃの高さよりも高い取付ボス４ｄが設けられている。表出孔４ａの近傍の上フレーム４内面には、第１の支持部４ｃよりも基板１１側に突出した第２の支持部４ｅが設けられている。第２の支持部４ｅには、ボタン１０Ａの取付孔１０ｄに嵌め込まれ、端部１０ｂ、１０ｃの高さよりも高い取付ボス４ｆが設けられている。４ｇは上フレーム４と基板１１との間に所定の間隔を確保するリブである。このリブ４ｇには、ネジ穴４ｈが形成されている。
【００１８】
基板１１に示す１１ａはボタンＡのサポートボス１０ｅが接地する位置に設けられた貫通孔である。この貫通孔１１ａの径は、サポートボス１０ｅの先端１０ｇの径よりも大きく、段差部１０ｆの径よりも小さくなっている。１１ｂは各スイッチ８、９のリード（図示省略）を通す挿通孔である。１１ｃはネジ１２を通す挿通孔である。図２に示す１３、１４は各スイッチ８、９のＯＮ状態またはＯＦＦ状態を表示するためのＬＥＤである。これらＬＥＤ１３、１４は、上フレーム４の表出孔４ａ、４ｂの側部に設けられた溝４ｊ、４ｋから表出する。
【００１９】
上述した構造において、スイッチボタン６、７を組み立てるには、まず、ノンロックスイッチ９用のボタン１０Ｂの取付孔１０ｄに取付ボス４ｄをボタン１０Ｂの端部１０ｂ、１０ｃが第１の支持部４ｃに当接するまで嵌め込んで行って、端部１０ｂ、１０ｃを第１の支持部４ｃに取り付ける。また同様に、ロックスイッチ８用のボタン１０Ａの取付孔１０ｄに取付ボス４ｆをボタン１０Ａの端部１０ｂ、１０ｃが第２の支持部４ｅに当接するまで嵌め込んで行って、端部１０ｂ、１０ｃを第２の支持部４ｅに取り付ける。そして、ネジ１２を基板１１の挿通孔１１ｃに通して、上フレーム４のリブ４ｇのネジ穴４ｈに螺合することで、基板１１を上フレーム４に固定する。この後は、上フレーム４と下フレーム５とを嵌め合わせる。
【００２０】
上記のように組み立てると、ノンロックスイッチ９用のボタン１０Ｂは、図４（ａ）の左側に示すように上フレーム４と基板１１との間に設置される。このとき、ボタン１０Ｂの操作部１０ａは、上フレーム４の表出孔４ｂから表出（突出）した状態となる。また、無負荷状態（ノブ９ａが押下されていない状態）にあるノンロックスイッチ９のノブ９ａの先端９ｂ位置、即ちノブ９ａの先端９ｂが基板１１から最も離れた最上位置（一点鎖線の位置）にボタン１０Ｂの接触部１０ｈが位置するように、ボタン１０Ｂの端部１０ｂ、１０ｃが第１の支持部４ｃに上フレーム４側から支持された状態となる。さらに、ボタン１０Ｂのサポートボス１０ｅの先端１０ｇが基板１１に接地して、ボタン１０Ｂの端部１０ｂ、１０ｃがサポートボス１０ｅに基板１１側から支持された状態となる。図４（ａ）の左側に示すような状態では、ノンロックスイッチ９は、ＯＮ状態またはＯＦＦ状態にある。
【００２１】
一方、ロックスイッチ８用のボタン１０Ａは、図４（ａ）の右側に示すように上フレーム４と基板１１との間に設置される。このとき、ボタン１０Ａの操作部１０ａは、上フレーム４の表出孔４ａから若干表出（突出）した状態となる。また、ロックスイッチ８がロック状態とロック解除状態とに切り替わるときのノブ８ａのストロークＳ分第１の支持部４ｃよりも基板１１側の位置、即ちノブ８ａの先端８ｂが基板１１に最も近づいた最下位置である下死点（二点鎖線の位置）で、ボタン１０Ａの端部１０ｂ、１０ｃが第２の支持部４ｅに上フレーム４側から支持された状態となる。さらに、ボタン１０Ａのサポートボス１０ｅの先端１０ｇが基板１１の貫通孔１１ａに入り込んで、段差部１０ｆが基板１１に接地し、ボタン１０Ａの端部１０ｂ、１０ｃがサポートボス１０ｅに基板１１側から支持された状態となる。図４（ａ）の右側に示すような状態では、ロックスイッチ８は、ロック状態かつＯＮ状態にある。
【００２２】
図４（ａ）の左側に示すノンロックスイッチ９の無負荷状態から、ユーザによってボタン１０Ｂの操作部１０ａが押下されると、ボタン１０Ｂがたわんで接触部１０ｈでノブ９ａを押下する。このため、図４（ｂ）の左側に示すように、ボタン１０Ｂとともにノブ９ａの先端９ｂが下死点（最下位置）まで下がって、ノンロックスイッチ９がＯＮ状態またはＯＦＦ状態に切り替わる。そして、ユーザによって操作部１０ａが押下されなくなると（操作部１０ａから指が離されて押下力が開放されると）、ノブ９ａの先端９ｂがボタン１０Ｂの接触部１０ｈを押し上げて行って、図４（ｃ）の左側に示すように元の最上位置に復帰し、操作部１０ａを表出孔４ｂから元の状態で表出させる。
【００２３】
一方、図４（ａ）の右側に示すロックスイッチ８の無負荷状態かつロック状態かつＯＮ状態から、ユーザによってボタン１０Ａの操作部１０ａが押下されると、ボタン１０Ａがたわんで接触部１０ｈでノブ８ａを押下する。このため、図４（ｂ）の右側に示すように、ボタン１０Ａとともにノブ８ａの先端８ｂが下死点よりも若干下がって、ノブ８ａのロックが解除され、ノンロックスイッチ８がＯＮ状態からＯＦＦ状態に切り替わる。そして、ユーザによって操作部１０ａが押下されなくなると、ノブ８ａの先端８ｂがボタン１０Ａの接触部１０ｈを押し上げて行って、図４（ｃ）の右側に示すように最上位置に位置し、操作部１０ａを表出孔４ａから最大限表出させる。この後、図４（ｃ）の右側に示すロックスイッチ８の無負荷状態かつロック解除状態かつＯＦＦ状態から、再びユーザによってボタン１０Ａの操作部１０ａが押下されると、ボタン１０Ａが接触部１０ｈでノブ８ａを押下するため、図４（ｂ）の右側に示すように、ノブ８ａの先端８ｂが下死点よりも若干下がり、ノンロックスイッチ８がＯＦＦ状態からＯＮ状態に切り替わる。そして、ユーザによって操作部１０ａが押下されなくなると、図４（ａ）の右側に示すように、ノブ８ａの先端８ｂの位置が下死点にロックされ、操作部１０ａを表出孔４ｂから若干表出させる。
【００２４】
以上のように、上フレーム４に第１の支持部４ｃと第２の支持部４ｅとをそれぞれ設けたことで、ノンロックスイッチ９用のボタン１０Ｂの取付孔１０ｄに第１の支持部４ｃの取付ボス４ｄを嵌め込んで、ボタン１０Ｂの端部１０ｂ、１０ｃを第１の支持部４ｃに取り付けると、ノンロックスイッチ９が無負荷状態にあるときのノブ９ａの先端９ｂ位置、即ちノブ９ａの先端９ｂの最上位置にボタン１０Ｂの接触部１０ｈが位置するようにボタン１０Ｂが設置される。また、ロックスイッチ８用のボタン１０Ａの取付孔１０ｄに第２の支持部４ｅの取付ボス４ｆを嵌め込んで、ボタン１０Ａの端部１０ａ、１０ｂを第２の支持部４ｅに取り付けると、ロックスイッチ８がロック状態かつ無負荷状態にあるときのノブ８ａの先端８ｂ位置、即ちノブ８ａの先端８ｂの下死点（最下位置）にボタン１０Ａの接触部１０ｈが位置するようにボタン１０Ａが設置される。よって、ロックスイッチ８とノンロックスイッチ９とを設ける場合において、各スイッチ８、９用のボタン１０Ａ、１０Ｂの形状を同一にしても、各ボタン１０Ａ、１０Ｂがそれぞれ押下されたときに、ボタン１０Ａ、１０Ｂの接触部１０ｈとノブ８ａ、９ａの先端８ｂ、９ｂとが常時接触した状態になって、ボタン１０Ａ、１０Ｂの空ストロークが生じなくなるため、ボタン１０Ａ、１０Ｂの共通化を図ることができ、かつ、ボタン１０Ａ、１０Ｂおよびノブ８ａ、９ａの押下時に明確な操作感を得ることが可能となる。
【００２５】
また、ロックスイッチ８用のボタン１０Ａのサポートボス１０ｅが接地する基板１１の位置に、サポートボス１０ｅの先端１０ｇの径より大きく段差部１０ｆの径より小さな径の貫通孔１１ａを設けたことで、ボタン１０Ａの端部１０ｂ、１０ｃを第２の支持部４ｅに取り付けると、サポートボス１０ｅの先端１０ｇが貫通孔１１ａに入り込み、段差部１０ｆが基板１１に接地して端部１０ｂ、１０ｃを基板１１側から支持するようになる。また、ノンロックスイッチ９用のボタン１０Ｂの端部１０ｂ、１０ｃを第１の支持部４ｃに取り付けると、ボタン１０Ｂのサポートボス１０ｅの先端１０ｇが基板１１に接地して端部１０ｂ、１０ｃを基板１１側から支持するようになる。よって、各ボタン１０Ａ、１０Ｂのサポートボス１０ｅの形状を同一にしても、各ボタン１０Ａ、１０Ｂがそれぞれ押下されたときに、ボタン１０Ａ、１０Ｂの端部１０ｂ、１０ｃをサポートボス１０ｅによって確実に支持して、基板１１側へ位置ずれするのを防止することができる。
【００２６】
さらに、前述した特許文献１、２のように、ボタンを基板に位置決めしただけの状態でフレームを基板上に配置して行くと、ボタンがずれて正規の位置に設置されなくなるおそれがあるが、図４等に示したように各ボタン１０Ａ、１０Ｂを上フレーム４の第１、第２の支持部４ｃ、４ｅに取り付けることで、上フレーム４と基板１１との固定時にボタン１０Ａ、１０Ｂがずれなくなり、ボタン１０Ａ、１０Ｂを正規の位置に確実に設置することができ、スイッチボタン６、７の組立性の向上を図ることが可能となる。
【００２７】
以上述べた実施形態では、図４に示したように上フレーム４と基板１１との間隔が同一である箇所にスイッチボタン６、７を設けた場合を例に挙げているが、本発明はこれのみに限定するものではなく、上フレームと基板との間隔が異なる箇所にスイッチボタンを設けるようにしてもよい。この場合、用いるスイッチの種類やノブの先端位置だけでなく、設置箇所の上フレームと基板との間隔も考慮し、例えば当該間隔が広くなるに連れて、上フレームに設ける支持部の高さを高くする等のようにすればよい。このように、上フレームに高さの異なる突起状の支持部を設けると、ボタンをスイッチや取付箇所の間隔に応じた形状にするよりも、設計および成形が容易で大変有益である。また、スイッチ自体に何ら追加工を施さなくてもよいので大変有益である。
【００２８】
また、以上の実施形態では、ホームゲートウェイ１の電源用のスイッチボタン６と、カメラ２の切替用のスイッチボタン７とに、本発明を適用した場合を例に挙げているが、本発明はこれ以外の電子機器の各種のスイッチボタンに適用することが可能である。
【図面の簡単な説明】
【００２９】
【図１】本発明の実施形態に係るスイッチボタン構造の適用例を示す図である。
【図２】同スイッチボタン構造の分解状態を上方から見た斜視図である。
【図３】同スイッチボタン構造の分解状態を下方から見た斜視図である。
【図４】同スイッチボタン構造の組立状態を側方から見た断面図である。
【符号の説明】
【００３０】
４  上フレーム
４ａ、４ｂ表出孔
４ｃ  第１の支持部
４ｄ  取付ボス
４ｅ  第２の支持部
４ｆ  取付ボス
６    スイッチボタン
７    スイッチボタン
８    ロックスイッチ
８ａ  ノブ
９    ノンロックスイッチ
９ａ  ノブ
９ｂ  先端
１０Ａ  ロックスイッチ用のボタン
１０Ｂ  ノンロックスイッチ用のボタン
１０ａ  操作部
１０ｂ、１０ｃ端部
１０ｄ  取付孔
１０ｅ  サポートボス
１０ｆ  段差部
１０ｇ  先端
１０ｈ  接触部
１１    基板
１１ａ  貫通孔
Ｓ      ストローク
【図１】
2006024504.tif 000003
【図２】
2006024504.tif 000004
【図３】
2006024504.tif 000005
【図４】
2006024504.tif 000006